(57)【要約】【課題】  外部バッテリを使用時、バッテリ駆動機器本体より外部バッテリを取り外した時に、バッテリ駆動機器本体の電源の瞬断を起こさずにバッテリ駆動機器の内部バッテリに切り換えて使用できる電源瞬断防止方式を提供する。【解決手段】  内部バッテリＶ１と着脱可能な外部バッテリＶ２をスイッチ回路（１）、（２）により切り換えて電力供給を行う電源切り換え構成において、バッテリ駆動機器内部の２次電池４５の出力をクランプ用の電圧とするダイオード４６からなるクランプ回路を電源供給ラインＯに接続し、着脱する外部バッテリＶ２に起因する電源供給ラインの電圧の瞬断を防止する。スタティックメモリ、時計等のバックアップ電池として用いられている２次電池の電圧を前記クランプに利用する。外部バッテリの使用中において該外部バッテリが故意及び不意に外れた時の電源瞬断を防止することができる。【選択図】        図１
2006149078.tif 000002
【特許請求の範囲】
【請求項１】
内部バッテリと着脱可能な外部バッテリにより電源供給ラインへの電源供給が可能なバッテリ駆動機器の電源瞬断防止方式において、
バッテリ駆動機器の内部の２次電池の出力電圧により前記電源供給ラインをクランプするクランプ回路を備えることを特徴とする電源瞬断防止方式。
【請求項２】
前記クランプ回路は、前記２次電池の出力と前記電源供給ラインの間に接続したダイオードにより構成したことを特徴とする請求項１記載の電源瞬断防止方式。
【請求項３】
前記バッテリ駆動機器は、前記内部バッテリ又は外部バッテリからの電源の供給を切り換える切り換えスイッチと、前記切り換えスイッチの制御回路と、を備え、前記制御回路は、前記外部バッテリの接続時に前記外部バッテリから優先的に電力を供給するように切り換えることを特徴とする請求項１又は２記載の電源瞬断防止方式。
【請求項４】
前記２次電池は、前記内部バッテリ又は外部バッテリから充電されることを特徴とする請求項１、２又は３記載の電源瞬断防止方式。
【請求項５】
前記２次電池は、バッテリ駆動機器の電源停止状態でも内部回路に電源を供給するバックアップ電池であることを特徴とする請求項１〜４の何れかの請求項記載の電源瞬断防止方式。
【請求項６】
前記内部回路は、バッテリ駆動機器の少なくともスタティックメモリ及び時計回路であることを特徴とする請求項５記載の電源瞬断防止方式。
【請求項７】
前記２次電池の電圧値は、バッテリ電源としての使用する電圧範囲の下限側の検出閾値である規定値よりも低く、かつ、回路動作が保てる電圧値として設定されることを特徴とする請求項１〜６の何れかの請求項記載の電源瞬断防止方式。
【請求項８】
前記バッテリ駆動機器は携帯電話装置であることを特徴とする請求項１〜７の何れかの請求項記載の電源瞬断防止方式。
【請求項９】
前記切り換えスイッチは、前記内部バッテリ及び外部バッテリと電源供給ラインとの間にドレイン−ソース電流路が直列接続され、ゲートが前記制御回路により制御される２つのＰチャンネル型ＭＯＳトランジスタで構成されることを特徴とする請求項３〜８の何れかの請求項記載の電源瞬断防止方式。
【発明の詳細な説明】
【技術分野】
【０００１】
本発明はセカンドバッテリ（外部バッテリ）の抜脱時の電源瞬断防止方式に関し、特に、外部バッテリを装着可能な携帯電話装置等のバッテリ電源により動作する電子機器（バッテリ駆動機器）の電源瞬断防止方式に関する。
【背景技術】
【０００２】
近年、電池、ＰＷＢ、ＬＣＤ等の要素部品の薄型化、及び実装技術の向上により狭ピッチ部品の実装等が実現出来るようになり、クレジットカード型携帯電話等の小型薄型の携帯電話装置が実現できる状況に至っている。
【０００３】
反面、携帯電話装置の小型薄型化の影響として、内部バッテリの容量の低下による通話時間の短縮等の懸念事項も挙げられており、これを解決する手段として、外部バッテリを携帯電話装置に適宜装着して使用し内部バッテリの消費を抑制することが考えられる。
【０００４】
ところが、このような２つの電源の切り換えによる電源供給においては、一方の電源の着脱により供給電圧が瞬断状態を起こすおそれがあり、瞬断を防止できる電源供給構成とすることが重要である。  
かかる電源供給構成として２つの電源をそれぞれダイオードを介して電源供給ラインに供給する構成が知られている（特許文献１参照）。
【０００５】
図７はダイオードを使用する電源供給方式の回路原理を示す図である。電源Ｖ１、Ｖ２の双方よりそれぞれダイオードＤ１、Ｄ２を介して負荷対し常時電力を供給するようにダイオードＯＲ構成とし、電源Ｖ１又はＶ２の一方を抜脱しても電源の瞬断を起こさないようにするものである。
【０００６】
しかし、図７に示す電源供給構成では、ダイオードの順方向電圧降下ＶＦ（０．４Ｖ〜０．８Ｖ程度）分だけ電源電圧から電圧降下が生じ、電圧値が低く且つ狭い使用範囲（例えば４．２Ｖ〜３．３Ｖ等）のバッテリ電源の場合にはＶＦは動作可能な電圧のロスとなりバッテリライフの短縮につながるという欠点があり、また、電源の供給を受ける機器側から見て電源Ｖ１、Ｖ２が独立せず、電源間で干渉し、また、内部バッテリか外部バッテリかにより例えば動作モードを変更する等の機器側の設計等が不可能であるという欠点もある。
【０００７】
図８は、２つの電源Ｖ１、Ｖ２を独立させるように使用することが可能な電源切り換え回路構成を示す図である（非特許文献１参照）。図７に示す回路のダイオードについて、ソースを互いに接続した２つのＰチャンネル絶縁ゲートトランジスタ（ＰＭＯＳトランジスタ）からなるスイッチ回路に置き換えた構成としたものである。この回路構成によれば、電源Ｖ１、Ｖ２の入力端子の電圧値等に基づいてコントローラ３１及び制御回路３２から制御信号を出力し、各スイッチ回路のオン／オフ状態を互いに逆方向に制御することにより２つの電源Ｖ１、Ｖ２を独立して切り換えるようにすることが可能である。
【０００８】
【特許文献１】特開２００３−９４２４号公報
【非特許文献１】「ＬＩＮＥＡＲ technology、製品速報、最終電気的仕様ＬＴＣ４４１２  第９ページ」インターネットホームページhttp : //www.linear-tech.co.jp/datasheet/html/jp_pdf/j4412f.pdf
【発明の開示】
【発明が解決しようとする課題】
【０００９】
前述のように２つのスイッチ回路を使用することにより２つの電源からバッテリ駆動機器に電力を供給するように構成することが可能であるが、このような電源切り換え方式においては一方の電源を着脱可能とした場合、スイッチ回路の切り替え時の動作遅延により、バッテリを切り換えて出力するべきスイッチ回路が直ちにオン状態とならず、電源供給ラインへの供給電圧が途絶え、電源の瞬断状態を起こすおそれがある。
【００１０】
例えば、この電源切り換え方式を携帯端末装置等の内部バッテリと外部バッテリ等に適用した場合、外部バッテリＶ２が携帯端末装置本体から不意に外れた瞬間、内部バッテリＶ１への切り替えも瞬時に行われず電源供給が瞬断し、電源供給ラインの電圧が０Ｖまで下がり回路が動かなくなる。このため内部バッテリＶ１への切り替えも自動的に行われず、携帯電話装置等の電源を再度投入しなければならないような状況に陥るという問題がある。
（目的）
本発明の目的は、外部バッテリの使用時にバッテリ駆動機器本体より外部バッテリを取り外した時に、電源の瞬断を起こさずにバッテリ駆動機器の内部バッテリに確実に切り換えて使用できる電源瞬断防止方式を提供することにある。
【００１１】
本発明の他の目的は、外部バッテリと内部バッテリを互いに干渉しないで独立して切り換え可能とするとともに、外部バッテリの抜脱時に電源の瞬断を防止できる電源瞬断防止方式を提供することにある。
【課題を解決するための手段】
【００１２】
本発明の電源瞬断防止方式は、内部バッテリ（例えば図１のＶ１）と着脱可能な外部バッテリ（例えば図１のＶ２）により電源供給ライン（例えば図１のＯ）への電源供給が可能なバッテリ駆動機器（例えば図１の４）の電源瞬断防止方式において、バッテリ駆動機器の内部の２次電池（例えば図１の４５）の出力電圧により前記電源供給ラインをクランプするクランプ回路を備えることを特徴とし、前記クランプ回路は、前記２次電池の出力と前記電源供給ラインの間に接続したダイオード（例えば図１の４６）により構成したことを特徴とする。
【００１３】
また、前記バッテリ駆動機器は、前記内部バッテリ又は外部バッテリからの電源の供給を切り換える切り換えスイッチ（例えば図１のスイッチ回路（１）、（２））と、前記切り換えスイッチの制御回路（例えば図１の３）と、を備え、前記制御回路は、前記外部バッテリの接続時に前記外部バッテリから優先的に電力を供給するように切り換えることを特徴とし、前記２次電池は、前記内部バッテリ又は外部バッテリから充電されることを特徴とし、前記２次電池は、バッテリ駆動機器の電源停止時にも内部回路の少なくともスタティックメモリ及び時計回路を含む論理処理部（例えば図１の４１）に電源を供給するバックアップ電池であることを特徴とする。
【００１４】
特に、前記バッテリ駆動機器は携帯電話機であり、前記２次電池の電圧値は携帯電話機で規定するバッテリ電源としての使用する電圧範囲の下限側の検出閾値である規定値よりも低く、かつ、回路動作が保てる電圧値として設定され、前記切り換えスイッチは、前記内部バッテリ及び外部バッテリと電源供給ラインとの間にドレイン−ソース電流路が直列接続され、ゲート電極が前記制御回路により制御される２つのＰチャンネル型ＭＯＳトランジスタ（例えば図１のＤ１０〜Ｄ２１）で構成されることを特徴とする。
【００１５】
（作用）
携帯電話機等のバッテリ駆動機器内部の２次電池の出力をクランプ用の電圧とするクランプ回路を電源供給ラインに接続することにより、バッテリ駆動機器に着脱する外部バッテリに起因する電源供給ラインの電圧の瞬断を防止する。内部バッテリと外部バッテリを制御して電力供給を行う構成において、外部バッテリの使用時にバッテリ駆動機器本体より外れた時でも、電源瞬断が起こさずに使用できる。バッテリ駆動機器内のスタティックメモリ、時計回路等のバックアップ電池として用いられている２次電池の電圧をクランプに利用する。外部バッテリの使用中において該外部バッテリが故意及び不意に外れた時の電源瞬断を防止することができる。
【発明の効果】
【００１６】
本発明によれば、バッテリ駆動機器の内部の２次電池の出力電圧をクランプ電圧とするクランプ回路を電源供給ラインに備えることにより、装着した外部バッテリを故意又は不意に外した場合にも電源供給ラインへの電源供給が維持されるので、バッテリ駆動機器の電源瞬断による弊害を防止することが可能である。
【００１７】
また、クランプ回路は２次電池と電源供給ラインの間にダイオードを設けるだけの簡単な構成により実現することが可能である。
【００１８】
更に、電源切り換え回路として、２つのＰチャンネル型ＭＯＳトランジスタで構成される切り換えスイッチ等により内部バッテリ又は外部バッテリからの電源の供給を切り換えるように構成することにより、バッテリ間の干渉を防止することが可能である。
【００１９】
また、２次電池としては、内部バッテリ又は外部バッテリから充電され、電源停止状態でもスタティックメモリ及び時計回路等の内部回路に電源を供給するバックアップ電池を利用することが可能である。
【００２０】
特に、携帯電話装置に適用することにより外部バッテリの着脱によりＰＣＭＣＩＡ型の携帯電話機でも充分な使用可能時間を実現することが可能である。
【発明を実施するための最良の形態】
【００２１】
（構成の説明）
図１は本発明の電源瞬断防止方式の一実施の形態の電源切り替え回路を示す構成図である。
【００２２】
本実施の形態は、バッテリ電源で動作するバッテリ駆動機器４と、バッテリ駆動機器４に対し２つの電力供給用のバッテリであって、例えば電子機器４に内蔵する内部バッテリ１（以下、Ｖ１）と、電子機器４の外部から接続端子Ｉにより取り付ける着脱可能な外部バッテリ２（以下、Ｖ２）と、バッテリＶ１、Ｖ２の何れかからバッテリ駆動機器４に電力を供給するための４つのＰチャンネルＭＯＳトランジスタＰＭＯＳ１０、ＰＭＯＳ１１、ＰＭＯＳ２０及びＰＭＯＳ２１で構成されたスイッチング回路と、各ＰＭＯＳトランジスタのゲートを制御しそれぞれの導通／非導通を制御する制御回路３とを備える。
【００２３】
前記スイッチング回路は、各バッテリＶ１、Ｖ２に対しそれぞれソース−ドレイン間に寄生ダイオードを有する２つのＰチャンネルＭＯＳトランジスタがソース−ドレイン間を直列接続した２つのスイッチ回路ＰＭＯＳ１０、ＰＭＯＳ１１及びＰＭＯＳ２０、ＰＭＯＳ２１として構成され、それぞれのスイッチ回路の出力側ＰＭＯＳトランジスタＰＭＯＳ１１、ＰＭＯＳ２１のドレインが共通接続されてバッテリ駆動機器４の電源供給ラインＯに接続されている。また、スイッチング回路は、内部バッテリＶ１、外部バッテリＶ２が互いに干渉しないで独立して動作させるため寄生ダイオードを通して回路ブロックに電流が流れないように寄生ダイオードＤ１０とＤ１１及びＤ２０とＤ２１が逆接続となるようにソース同士の接続構成としている。
【００２４】
また、バッテリ駆動機器４は、携帯電子機器としての各種の回路ブロック４７と、２つのスイッチ回路の電源供給ラインＯの電圧を入力しディジタル信号に変換するＡＤ変換回路ＡＤＣ（アナログディジタルコンバータ）（１）４２と、外部バッテリＶ２の接続端子Ｉの電圧を入力しディジタル信号に変換するＡＤ変換回路ＡＤＣ（２）４３と、ＡＤＣ４２、４３の出力を入力するとともに、時計回路としての処理を含む各種の処理を行う中央処理装置及び論理回路ＣＰＵ／Ｌｏｇｉｃで構成された論理処理部４１と、バックアップ電源としての２次電池４５と、前記電源供給ラインＯの電圧を入力とし前記２次電池４５を充電する充電ＩＣ４４と、前記２次電池４５の出力を前記電源供給ラインＯ及び論理処理部（ＣＰＵ／Ｌｏｇｉｃ）４１等のバッテリ駆動機器４内に供給するダイオード４６と、を備える。
【００２５】
ここで論理処理部４１は、前記電源供給ラインＯ及び外部バッテリＶ２の接続端子Ｉの電圧に応じて制御回路に制御信号を出力し、制御回路３は４つのＰチャンネルＭＯＳトランジスタのゲート電極を制御して、２つのスイッチ回路の何れかを導通させ、外部バッテリＶ２の装着状態ではスイッチ回路（２）ＰＭＯＳ２０、ＰＭＯＳ２１のみを導通（オン）させ、内部バッテリＶ１に優先して電力を供給するように制御し、また、外部バッテリＶ２の取り外した状態ではスイッチ回路（１）ＰＭＯＳ１０、ＰＭＯＳ１１のみを導通（オン）させ、内部バッテリＶ１から電力を供給するように制御する。
【００２６】
以上の制御のため、論理処理部４１は、ＡＤ変換回路ＡＤＣ（１）４２からの電源供給ラインＯの電圧ＶＯと、ＡＤ変換回路ＡＤＣ（２）４３からの外部バッテリＶ２の接続端子Ｉの電圧ＶＩとを入力して、バッテリ電源としての使用する電圧範囲の下限側の検出閾値である規定値を低電圧検出電圧値とし、電圧ＶＯ及び電圧ＶＩに基づき以下の制御信号を出力する演算処理機能を有する。
【００２７】
（ａ）端子Ｉの電圧が低電圧検出電圧値を超える場合に、スイッチ回路１をオフ状態、スイッチ回路２をオン状態にする制御信号を制御回路３に出力する。  
（ｂ）端子Ｉの電圧が低電圧検出電圧値以下の場合に、スイッチ回路１をオン状態、スイッチ回路２をオフ状態にする制御信号を制御回路３に出力する。  
（ｃ）スイッチ回路１がオフ状態、スイッチ回路２がオン状態において、電源供給ラインＯの電圧ＶＯ（端子Ｉの電圧）が低電圧検出電圧値まで低下した時、スイッチ回路１をオン状態、スイッチ回路２をオフ状態に切り換える制御信号を制御回路３に出力する。
【００２８】
制御回路３は論理処理部４１からの制御信号により各スイッチ回路を構成するＰＭＯＳトランジスタのゲート電極を制御し、前記スイッチ回路（１）、（２）のオン／オフ状態を（ａ）〜（ｃ）のように切り換える。
【００２９】
（動作の説明）
最初に、図１に示す電源切り換え回路に関して、本発明の特徴とするクランプ回路を有しない場合の動作について説明する。  
図２は、クランプ回路を有しない場合の電源切り換え回路構成を示す図である。図１に示す回路構成において充電ＩＣ４４、２次電池４５及びダイオード４６からなる回路を除いた構成でなる。
【００３０】
外部バッテリＶ２が低電圧検出電圧値を超える電圧をバッテリ駆動機器４に正常に供給している状態で、接続端子Ｉから外れると、上記（ｂ）の状態から外部バッテリＶ２が外れることになるから、論理処理部４１の（ａ）の演算処理によりスイッチ回路（１）がオン状態、スイッチ回路（２）がオフ状態に切り替わるはずである。しかし通常の回路遅延によっても、スイッチ回路（１）自体又は論理処理部４１等を含むスイッチ回路（１）のオン状態への切り換え動作には遅れが生じるため、内部バッテリＶ１からスイッチ回路（１）を介する電源供給ラインＯへの電力供給も遅れ、瞬断状態が生じる。
【００３１】
図３は、クランプ回路を有しない回路で外部バッテリＶ２が不意に外れた場合の電源供給ラインの電圧変化を示すタイムチャートである。  
バッテリ駆動機器４に外部バッテリＶ２が装着された後、電源供給ラインＯがスイッチ回路（２）を介して外部バッテリＶ２から電力が供給されている状態で、外部バッテリＶ２が外れた場合（ｔ１）、スイッチ回路の動作遅れ、特に、スイッチ回路（１）が瞬時にオン状態とならない結果、図２に示す過度特性のように電源供給ラインＯの電圧値が０Ｖに瞬間的に低下する。この結果、バッテリ駆動機器４への電源供給が停止し、バッテリ駆動機器４の電源瞬断態に陥る。この後はユーザの新たな電源投入等により、内部バッテリＶ１でバッテリ駆動機器４を動作させることになる。
【００３２】
次に、図１に示す本実施の形態の電源切り換え回路で外部バッテリＶ２が外れた場合の電源瞬断の防止動作について説明する。  
図４は、本実施の形態の動作のタイミングチャートを示す図である。
【００３３】
本実施の形態では、電源供給ラインＯから常時充電ＩＣ４４により充電されるバックアップ電源としての２次電池の出力電圧をダイオード４６を介して論理処理部４１に供給するとともに電源供給ラインＯに供給可能な接続構成を有している。ここで、２次電池によるクランプ電圧は、２次電池の出力電圧からダイオードの順方向電圧降下ＶＦ分差し引いた電圧値であり、バッテリ駆動機器４で設定された低電圧検出電圧値よりも低い電圧値であるが、バッテリ駆動機器４の各部の回路が正常に動作する電圧値に設定される。  
この構成及び設定電圧により、前記瞬断時以外の電源供給ラインＯの電圧値が低電圧検出電圧値より高い正常動作状態では、ダイオード４４は常に逆バイアス状態でオフ状態である。
【００３４】
電源供給ラインＯがスイッチ回路（２）を介して外部バッテリＶ２から電力が供給されている状態で、外部バッテリＶ２が外れた場合（ｔ１）、スイッチ回路の動作遅れ、特に、スイッチ回路（１）が瞬時にオン状態とならないことにより、電源供給ラインＯの電圧が急激に低下する。しかし、電源供給ラインＯの電圧が前記クランプ電圧に達するとダイオード４４がオン状態となり、それ以下への低下が防止される。
【００３５】
以上のクランプ動作により、外部バッテリＶ２の使用中に故意又は不意に外部バッテリＶ２を外しても、内部バッテリＶ１に切り替わる過渡的な短時間の期間はダイオード４４が導通して、２次電池の出力電圧が電源供給ラインＯの電圧の低下を抑えることにより、バッテリ駆動機器４の動作が維持される。
【００３６】
また、電源の断状態でも２次電池の出力電圧は論理処理部４１等の主要な回路に供給されているから前記短期間以内の時刻（ｔ２）にスイッチ回路（１）がオン状態に切り替わり、その後、内部バッテリＶ１からバッテリ駆動機器４に電力が供給される。
【００３７】
図４に示す本実施の形態の設定例では、バッテリＶ１、Ｖ２は初期値（充電状態初期値の電圧値）を４．２Ｖ、バッテリ駆動回路の低電圧検出電圧値は３．６Ｖ、２次電池電圧は順方向電圧降下ＶＦを０．４Ｖとして３．７Ｖ（クランプ電圧は３．３Ｖ）に設定されている。本例ではバッテリが外れた時（ｔ１）、電源供給ラインは０Ｖに低下しようとするが、２次電池の出力電圧３．７Ｖがダイオードを介して電源供給ラインＯを３．３Ｖにクランプすることにより両スイッチ回路から電源供給がなくても電源供給ラインＯは３．３Ｖに維持される。その後、論理処理部４１が低電圧検出電圧値３．６Ｖ以下への低下をＡＤＣ４２の出力により検出して、制御回路３に対する制御信号を出力し、制御回路３はスイッチ回路（１）、（２）を制御しバッテリＶ２から内部バッテリＶ１への切り換えを行い（ｔ２）、本来の内部バッテリＶ１による電源供給状態とすることにより、電源供給ラインの０Ｖへの瞬断は防止される。
【００３８】
図５は本発明の電源瞬断防止方式を適用した携帯電話機を示すブロック図であり、図６は外部バッテリとして薄型リチュームイオンバッテリを着脱自在に構成したＰＣＭＣＩＡカードサイズの携帯電話機を示す斜視図である。
【００３９】
図５に示すように、携帯電話機本体５は通話等のアンテナ及び高周波回路ＲＦ、メモリ回路５５、表示部ＬＣＤ、キー入力部ＫＥＹ、着信時等のレシーバ／バイブレータ、送受話用のマイク／スピーカ及び時計表示等と接続され、それぞれの処理を行う中央処理装置ＣＰＵ、論理回路ＬＯＧＩＣで構成された論理処理部ＢＢ５１を備える。
【００４０】
また、携帯電話機５は内蔵バッテリ（Ｖ１）５６と、該内蔵バッテリ５６と携帯電話  端末装置５に着脱可能な外部バッテリ（Ｖ２）６と接続される電源切り換え回路５７と、該電源切り換え回路５７の出力により各ブロックに電源を供給する電源制御回路５８を備える。
【００４１】
更に、携帯電話機本体内には、電源遮断時（電源オフ時）のバックアップ電源としての２次電池５３と、該２次電池５３を内蔵バッテリ５６又は外部バッテリ６から充電する充電ＩＣ５２と、前記２次電池５３の出力電圧をダイオード５４を介して論理処理部５１、メモリ５５に加えるとともに、電源切り換え回路５７の出力側の図示しない電源供給ラインに印加する構成を備える。
【００４２】
以上の構成により携帯電話機の小型化、薄型化による内部バッテリの容量の低下による通話時間の短縮等の問題が解決されるとともに、外部バッテリの着脱による電源供給ラインの瞬断の弊害が排除できる。
【図面の簡単な説明】
【００４３】
【図１】本発明の電源瞬断防止方式の一実施の形態の電源切り替え回路を示す構成図である。
【図２】クランプ回路を有しない場合の電源切り換え回路構成を示す図である。
【図３】クランプ回路を有しない回路で外部バッテリＶ２が外れた場合の電源供給ラインの電圧変化を示すタイムチャートである。
【図４】本実施の形態の動作のタイミングチャートを示す図である。
【図５】本発明の電源瞬断防止方式を適用した携帯電話機を示すブロック図であり、
【図６】外部バッテリとして薄型リチュームイオンバッテリを着脱自在に構成したＰＣＭＣＩＡカードサイズの携帯電話機を示す斜視図である。
【図７】ダイオードを使用する電源供給方式の回路原理を示す図である。
【図８】２つの電源Ｖ１、Ｖ２を独立させるように使用することが可能な電源切り換え回路構成を示す図である
【符号の説明】
【００４４】
１、５６  内部バッテリ
２、６  外部バッテリ
３  制御回路
４  バッテリ駆動機器
５  携帯電話機
４１、５１  ＣＰＵ／Ｌｏｇｉｃ（論理処理部）
４２、４３  ＡＤＣ
４４、５２  充電ＩＣ（充電集積回路）
４５、５３  ２次電池
４６、５４  ダイオード
４７  各回路ブロック
５１  論理処置部
５７  電源切り換え回路
５８  電源制御回路
Ｄ１０、Ｄ１１、Ｄ２０、Ｄ２１  寄生ダイオード
ＰＭＯＳ１０、ＰＭＯＳ１１、ＰＭＯＳ２０、ＰＭＯＳ２１  ＰチャネルＭＯＳトランジスタ
【図１】
2006149078.tif 000003
【図２】
2006149078.tif 000004
【図３】
2006149078.tif 000005
【図４】
2006149078.tif 000006
【図５】
2006149078.tif 000007
【図６】
2006149078.tif 000008
【図７】
2006149078.tif 000009
【図８】
2006149078.tif 000010